(57)【要約】【課題】テレビ通話発信者側において、テレビ通話をしようとする前に、相手方がテレビ通話可能状態にあるか否かを把握可能とすることにより、テレビ通話発信者側がテレビ通話発信をすれば相手方に必ずつながるテレビ通話システムを提供する。【解決手段】第１のテレビ電話機にＷｅｂページを表示させる。第２のテレビ電話機から送信されたテレビ通話可能信号を受信すると、上記第２のテレビ電話機が上記第１のテレビ電話機とテレビ通話可能状態にあることを示すテレビ通話可能表示を上記Ｗｅｂページ上に表示させるＷｅｂサーバを備える。【選択図】図１
2006229490.tif 000002
【特許請求の範囲】
【請求項１】
第１のテレビ電話機と第２のテレビ電話機とを通信回線網を介して接続し、上記第１のテレビ電話機と上記第２のテレビ電話機とをテレビ通話可能状態にさせるテレビ通話システムであって、
上記第１のテレビ電話機にＷｅｂページを表示させるとともに、上記第２のテレビ電話機から送信されたテレビ通話可能信号を受信すると、上記第２のテレビ電話機が上記第１のテレビ電話機とテレビ通話可能状態にあることを示すテレビ通話可能表示を上記Ｗｅｂページ上に表示させるＷｅｂサーバを備えること
を特徴とするテレビ通話システム。
【請求項２】
上記第２のテレビ電話機は複数の者が所有しており、
上記テレビ通話可能表示は、
上記複数の者が所有する上記第２のテレビ電話機のそれぞれに対応させて上記Ｗｅｂページ上に複数表示させること
を特徴とする請求項１記載のテレビ通話システム。
【請求項３】
上記テレビ通話可能表示が上記Ｗｅｂページ上に表示された状態において、
上記第１のテレビ電話機からテレビ通話としての着信があると該第１のテレビ電話機と上記第２のテレビ電話機とを接続させるＣＴＩサーバを備えること
を特徴とする請求項１あるいは２いずれか１項に記載のテレビ通話システム。
【請求項４】
上記ＣＴＩサーバは、
少なくとも、上記第１のテレビ電話機から上記第２のテレビ電話機に対するテレビ通話接続要求があり、かつ、上記第２のテレビ電話機がテレビ通話可能状態にあるという条件を満たした場合に、上記第１のテレビ電話機と上記第２のテレビ電話機とを接続させること
を特徴とする請求項３記載のテレビ通話システム。
【請求項５】
上記請求項４記載のＣＴＩサーバであって、
更に、上記第１のテレビ電話機と接続させる上記第２のテレビ電話機を特定するための付加条件を満たした場合に、上記第１のテレビ電話機と上記第２のテレビ電話機とを接続させること
を特徴とする請求項４記載のテレビ通話システム。
【請求項６】
上記Ｗｅｂサーバは、
上記第２のテレビ電話機がテレビ通話可能状態にあるか否かを選択する入力部を有するＷｅｂページを上記第２のテレビ電話機に表示させること
を特徴とする請求項１乃至５いずれか１項に記載のテレビ通話システム。
【請求項７】
第１のテレビ電話機に第１のＷｅｂページを表示させるＷｅｂサーバと、上記第１のテレビ電話機と第２のテレビ電話機とをデジタル通信回線網を介して接続させるＣＴＩサーバと、上記Ｗｅｂサーバと上記ＣＴＩサーバとの間でデータの送受信を行うＤＢサーバとを有するテレビ通話システムであって、
上記ＤＢサーバは、
上記第２のテレビ電話機の電話番号を予め格納しているとともに、上記第２のテレビ電話機がテレビ通話可能状態にあるか否かを示す第１のデータを、上記第２のテレビ電話機からの操作により上記Ｗｅｂサーバを介して受信し、この受信した上記第１のデータを上記第２のテレビ電話機の電話番号と関連付け、第２の電話番号特定データとして格納し、
上記Ｗｅｂサーバは、
上記第１のデータを入力するための第２のＷｅｂページを該第２のテレビ電話機に表示させるとともに、該第２のテレビ電話機からテレビ通話可能状態にあるとの入力があると、該第２のテレビ電話機がテレビ通話可能状態にあることを示すテレビ通話可能表示を上記第１のＷｅｂページ上に表示させ、
上記ＣＴＩサーバは、
上記テレビ通話可能表示が上記第１のテレビ電話機に表示された状態で、上記第１のテレビ電話機からテレビ通話としての着信があると、該第１のテレビ電話機の電話番号を取得するとともに、上記第１のテレビ電話機から上記Ｗｅｂサーバを介して送信されたテレビ通話接続要求信号たる第２のデータと上記取得した第１のテレビ電話機の電話番号を関連付けて第１の電話番号特定データとして取得し、一方、上記ＤＢサーバを検索して上記第１のデータをキーとして所望の上記第２の電話番号特定データを取得し、上記第１の電話番号特定データと上記第２の電話番号特定データとにより上記第１のテレビ電話機と上記第２のテレビ電話機とを接続させること
を特徴とするテレビ通話システム。
【請求項８】
上記請求項７記載のテレビ通話システムであって、
更に、
上記ＤＢサーバは、
上記第１のテレビ電話機の電話番号を予め格納しているとともに、上記第１のテレビ電話機がテレビ通話可能状態にあるか否かを示す第３のデータを上記第１のテレビ電話機からの操作により、上記Ｗｅｂサーバを介して受信し、この受信した上記第３のデータを上記第１のテレビ電話機の電話番号と関連付け、第４の電話番号特定データとして格納し、
上記Ｗｅｂサーバは、
上記第３のデータを入力するための第４のＷｅｂページを該第１のテレビ電話機に表示させるとともに、該第１のテレビ電話機からテレビ通話可能状態にあるとの入力があると、該第１のテレビ電話機がテレビ通話可能状態にあることを示すテレビ通話可能表示を上記第３のＷｅｂページ上に表示させ、
上記ＣＴＩサーバは、
上記テレビ通話可能表示が上記第２のテレビ電話機に表示された状態で、上記第２のテレビ電話機からテレビ通話としての着信があると、該第２のテレビ電話機の電話番号を取得するとともに、上記第２のテレビ電話機から上記Ｗｅｂサーバを介して送信されたテレビ通話接続要求信号たる第４のデータと上記取得した第２のテレビ電話機の電話番号を関連付けて第３の電話番号特定データとして取得し、一方、上記ＤＢサーバを検索して上記第３のデータをキーとして所望の第４の電話番号特定データを取得し、上記第３の電話番号特定データと上記第４の電話番号特定データとにより上記第２のテレビ電話機と上記第１のテレビ電話機とを接続させること
を特徴とする請求項７記載のテレビ通話システム。
【請求項９】
第１のテレビ電話機にＷｅｂページを表示させるとともに、第２のテレビ電話機から送信されたテレビ通話可能信号を受信すると、上記第２のテレビ電話機が上記第１のテレビ電話機とテレビ通話可能状態にあることを示すテレビ通話可能表示を上記Ｗｅｂページ上に表示させるＷｅｂサーバと、上記第２のテレビ電話機のテレビ通話可能状態と該第２のテレビ電話機の電話番号を関連付けて第２の電話番号特定データとして格納する登録手段とを用いて上記第１のテレビ電話機と上記第２のテレビ電話機とを接続させるテレビ通話システムに用いるＣＴＩサーバであって、
上記ＣＴＩサーバは、
上記テレビ通話可能表示が上記第１のテレビ電話機に表示された状態で、上記第１のテレビ電話機からテレビ通話としての着信があると、該第１のテレビ電話機の電話番号を取得するとともに、上記第１のテレビ電話機から上記Ｗｅｂサーバを介して送信されたテレビ通話接続要求信号たる第２のデータと上記取得した第１のテレビ電話機の電話番号を関連付けて第１の電話番号特定データとして取得し、一方、上記登録手段を検索して上記第１のデータをキーとして所望の上記第２の電話番号特定データを取得し、上記第１の電話番号特定データと上記第２の電話番号特定データとにより上記第１のテレビ電話機と上記第２のテレビ電話機とを接続させること
を特徴とするＣＴＩサーバ。
【請求項１０】
第１のテレビ電話機にＷｅｂページを表示させるとともに、第２のテレビ電話機から送信されたテレビ通話可能信号を受信すると、上記第２のテレビ電話機が上記第１のテレビ電話機とテレビ通話可能状態にあることを示すテレビ通話可能表示を上記Ｗｅｂページ上に表示させるＷｅｂサーバと、上記第２のテレビ電話機のテレビ通話可能状態と該第２のテレビ電話機の電話番号を関連付けて第２の電話番号特定データとして格納する登録手段
と、の間でデータの送受信を行うＣＴＩサーバに、上記第１のテレビ電話機と上記第２のテレビ電話機とのテレビ通話接続を実現させるためのテレビ通話プログラムであって、
上記テレビ通話プログラムは、
上記ＣＴＩサーバに、
上記第１のテレビ電話機の電話番号を取得させる機能と、
上記第１のテレビ電話機から上記Ｗｅｂサーバを介して送信されたテレビ通話接続要求信号たる第２のデータを取得させる機能と、
上記取得した第１のテレビ電話機の電話番号を関連付けて第１の電話番号特定データとして取得させる機能と、
上記登録手段を検索させる機能と、
上記第１のデータをキーとして所望の上記第２の電話番号特定データを取得させる機能と、上記第１の電話番号特定データと上記第２の電話番号特定データとにより上記第１のテレビ電話機と上記第２のテレビ電話機とを接続させる機能とを
実現させるためのテレビ通話プログラム。
【発明の詳細な説明】
【技術分野】
【０００１】
本発明は、テレビ通話システム、これに用いるＣＴＩサーバおよびテレビ通話プログラムに関し、特に、テレビ通話をする前に、テレビ通話しようとする相手の現在のテレビ通話可能状態をテレビ通話発信者側に把握させることにより、確実にテレビ通話接続できるテレビ通話システム、これに用いるＣＴＩサーバおよびテレビ通話プログラムに関するものである。
【背景技術】
【０００２】
近年、テレビ通話機能付きの通信機器が多く普及してきている。このテレビ通話機能付き通信機器には、固定型のテレビ電話機から、パーソナルコンピュータにテレビ通話機能を持たせたもの、更には携帯電話機にテレビ通話の機能を持たせた携帯テレビ電話機も普及してきている。従来の音声のみの電話機と異なり、発信者および受信者の双方において相手の顔を見ながらの通話、いわゆるテレビ通話が可能であり、コミュニケーションツールとして近年特に注目を浴びている。
【０００３】
しかしながら、その一方、このテレビ電話機はあまり普及していないという現状がある。
【０００４】
その要因としては、まだまだ画質が悪く、通話料金も高いというハード的な問題も考えられるが、その他にも、「使い方が分らない」、「通話する相手もテレビ通話機能を持っていなければならない」、「相手が現在テレビ通話可能な状態にあるか不明」等といった問題もある。
【０００５】
特に、テレビ電話機においては、音声のみで通話する場合と異なり、テレビ通話受信者側は、カメラで自分の顔を映しながら、ディスプレイ等でテレビ通話発信者の顔を見て通話するのが通常であるので、音声のみで通話する場合よりもテレビ通話受信者側の都合により通話できない場合が多く発生する。
【０００６】
例えば、女性などは、化粧をしていない、顔色が悪い、寝起き等の理由から音声のみの通話なら可能だが自分の顔を見られたくないのでテレビ通話は出来ないといった場合が生ずる。その他にも、テレビ通話受信者側が現在作業中なのでテレビ通話出来ない等、テレビ電話機を使用して相手とテレビ通話する場合には、音声のみで通話する場合に比べてテレビ通話受信者側の都合により通話できない場合が多く生ずる。
【０００７】
このようにテレビ通話発信者にとっては、テレビ通話をしようとする前に上記のような相手方の都合を把握することはできないので、何度もテレビ通話発信をしても相手とつながらない場合が多く生ずることとなり、その結果、テレビ電話機を使用しなくなるのである。
【０００８】
上記相手方の都合を考慮しつつ、このテレビ電話機を使い易くしてテレビ電話機の利用促進を図るものとして、例えば、特許文献１のようなものもある。
【０００９】
この特許文献１のものは、携帯テレビ電話機を持ったテレビ通話受信者が、コンサート会場にいる場合やレストランで食事を取っている場合等テレビ通話出来ない状態にある場合に、自動応答させ、更に、特定のテレビ通話発信者からの着信にのみ自動応答させることにより、円滑な双方向通話を実現するというものである。
【００１０】
しかしながら、この特許文献１のものにおいても、テレビ通話発信者側がテレビ通話をしようとする前に、上記のようなテレビ通話受信者側の都合を把握することは出来ず、このような相手方の都合が分らないテレビ通話発信者は何度もテレビ通話発信することになり、結局、テレビ電話機の利用促進を図るものとしては効果的とは言えなかった。
【００１１】
【特許文献１】特開２０００−３３２９０８号公報
【発明の開示】
【発明が解決しようとする課題】
【００１２】
本発明は、このような事情に鑑みてなされたもので、その目的とするところは、テレビ通話発信者側において、テレビ通話をしようとする前に、相手方がテレビ通話可能状態にあるか否かを把握可能とすることにより、テレビ通話発信者側がテレビ通話発信をすれば相手方に必ずつながるテレビ通話システム、これに用いるＣＴＩサーバおよびテレビ通話プログラムを提供し、テレビ電話機の利用促進を図ることにある。
【課題を解決するための手段】
【００１３】
以上の課題を解決するため、本発明の請求項１記載の発明は、第１のテレビ電話機と第２のテレビ電話機とを通信回線網を介して接続し、上記第１のテレビ電話機と上記第２のテレビ電話機とをテレビ通話可能状態にさせるテレビ通話システムであって、上記第１のテレビ電話機にＷｅｂページを表示させるとともに、上記第２のテレビ電話機から送信されたテレビ通話可能信号を受信すると、上記第２のテレビ電話機が上記第１のテレビ電話機とテレビ通話可能状態にあることを示すテレビ通話可能表示を上記Ｗｅｂページ上に表示させるＷｅｂサーバを備えることを特徴とする。
【００１４】
ここで、例えば、第１のテレビ電話機は、テレビ通話発信者側のテレビ電話機を意味し、第２のテレビ電話機は、テレビ通話受信者側のテレビ電話機を意味する。また、テレビ電話機とは、動画や静止画等の画像と音声とで通話可能な電話機を意味し、固定型のテレビ電話機、携帯電話機にテレビ通話機能がついたもの、また、パーソナルコンピュータにテレビ通話機能を備えたもの等が含まれる。
【００１５】
また、ここで言うＷｅｂページとは、Ｗｏｒｌｄ  Ｗｉｄｅ  Ｗｅｂ  Ｓｉｔｅ上で公開されているデータであり、Ｗｅｂブラウザ画面に１度に表示されるデータのまとまりを意味するものであるが、ここでは、１つのＷｅｂサイトであってもよい。
【００１６】
また、本発明の請求項１記載のテレビ通話システムにおいては、上記第２のテレビ電話機は複数の者が所有しており、上記テレビ通話可能表示は、上記複数の者が所有する上記第２のテレビ電話機のそれぞれに対応させて上記Ｗｅｂページ上に複数表示させるようにしてもよい。  
【００１７】
また、本発明の請求項１あるいは２いずれか１項に記載のテレビ通話システムにおいては、上記テレビ通話可能表示が上記Ｗｅｂページ上に表示された状態において、上記第１のテレビ電話機からテレビ通話としての着信があると該第１のテレビ電話機と上記第２のテレビ電話機とを接続させるＣＴＩサーバを備えるようにしてもよい。
【００１８】
また、本発明の請求項３記載のテレビ通話システムにおいては、上記ＣＴＩサーバは、少なくとも、上記第１のテレビ電話機から上記第２のテレビ電話機に対してのテレビ通話接続要求があり、かつ、上記第２のテレビ電話機がテレビ通話可能状態にあるという条件を満たした場合に、上記第１のテレビ電話機と上記第２のテレビ電話機とを接続させるようにしてもよい。
【００１９】
また、本発明のテレビ通話システムにおける請求項４記載のＣＴＩサーバにおいては、更に、上記第１のテレビ電話機と接続させる上記第２のテレビ電話機を特定するための付加条件を満たした場合に、上記第１のテレビ電話機と上記第２のテレビ電話機を接続させるようにしてもよい。
【００２０】
また、本発明の請求項１乃至５いずれか１項に記載のテレビ通話システムにおいては、上記Ｗｅｂサーバは、上記第２のテレビ電話機がテレビ通話可能状態にあるか否かを選択する入力部を有するＷｅｂページを上記第２のテレビ電話機に表示させるようにしてもよい。
【００２１】
また、本発明のテレビ通話システムにおいては、第１のテレビ電話機に第１のＷｅｂページを表示させるＷｅｂサーバと、上記第１のテレビ電話機と第２のテレビ電話機とをデジタル通信回線網を介して接続させるＣＴＩサーバと、上記Ｗｅｂサーバと上記ＣＴＩサーバとの間でデータの送受信を行うＤＢサーバとを有するテレビ通話システムであって、上記ＤＢサーバは、上記第２のテレビ電話機の電話番号を予め格納しているとともに、上記第２のテレビ電話機がテレビ通話可能状態にあるか否かを示す第１のデータを、上記第２のテレビ電話機からの操作により上記Ｗｅｂサーバを介して受信し、この受信した上記第１のデータを上記第２のテレビ電話機の電話番号と関連付け、第２の電話番号特定データとして格納し、上記Ｗｅｂサーバは、上記第２のテレビ電話機から上記第１のデータを上記第２のテレビ電話機が入力するための第２のＷｅｂページを該第２のテレビ電話機に表示させるとともに、該第２のテレビ電話機からテレビ通話可能状態にあるとの入力があると、該第２のテレビ電話機がテレビ通話可能状態にあることを示すテレビ通話可能表示を上記第１のＷｅｂページ上に表示させ、上記ＣＴＩサーバは、上記テレビ通話可能表示が上記第１のテレビ電話機に表示された状態で、上記第１のテレビ電話機からテレビ通話としての着信があると、該第１のテレビ電話機の電話番号を取得するとともに、上記第１のテレビ電話機から上記Ｗｅｂサーバを介して送信されたテレビ通話接続要求信号たる第２のデータと上記取得した第１のテレビ電話機の電話番号を関連付けて第１の電話番号特定データとして取得し、一方、上記ＤＢサーバを検索して上記第１のデータをキーとして所望の上記第２の電話番号特定データを取得し、上記第１の電話番号特定データと上記第２の電話番号特定データとにより上記第１のテレビ電話機と上記第２のテレビ電話機とを接続させるようにしてもよい。
【００２２】
また、本発明の請求項７記載のテレビ通話システムにおいては、更に、上記ＤＢサーバは、上記第１のテレビ電話機の電話番号を予め格納しているとともに、上記第１のテレビ電話機がテレビ通話可能状態にあるか否かを示す第３のデータを上記第１のテレビ電話機からの操作により、上記Ｗｅｂサーバを介して受信し、この受信した上記第３のデータを上記第１のテレビ電話機の電話番号と関連付け、第４の電話番号特定データとして格納し、  上記Ｗｅｂサーバは、上記第３のデータを上記第１のテレビ電話機が入力するための第４のＷｅｂページを該第１のテレビ電話機に表示させるとともに、該第１のテレビ電話機からテレビ通話可能状態にあるとの入力があると、該第１のテレビ電話機がテレビ通話可能状態にあることを示すテレビ通話可能表示を上記第３のＷｅｂページ上に表示させ、上記ＣＴＩサーバは、上記テレビ通話可能表示が上記第２のテレビ電話機に表示された状態で、上記第２のテレビ電話機からテレビ通話としての着信があると、該第２のテレビ電話機の電話番号を取得するとともに、上記第２のテレビ電話機から上記Ｗｅｂサーバを介して送信されたテレビ通話接続要求信号たる第４のデータと上記取得した第２のテレビ電話機の電話番号を関連付けて第３の電話番号特定データとして取得し、一方、上記ＤＢサーバを検索して上記第３のデータをキーとして所望の第４の電話番号特定データを取得し、上記第３の電話番号特定データと上記第４の電話番号特定データとにより上記第２のテレビ電話機と上記第１のテレビ電話機とを接続させるようにしてもよい。
【００２３】
本発明のテレビ通話システムに用いるＣＴＩサーバは、第１のテレビ電話機にＷｅｂページを表示させるとともに、第２のテレビ電話機から送信されたテレビ通話可能信号を受信すると、上記第２のテレビ電話機が上記第１のテレビ電話機とテレビ通話可能状態にあることを示すテレビ通話可能表示を上記Ｗｅｂページ上に表示させるＷｅｂサーバと、上記第２のテレビ電話機のテレビ通話可能状態と該第２のテレビ電話機の電話番号を関連付けて第２の電話番号特定データとして格納する登録手段とを用いて上記第１のテレビ電話機と上記第２のテレビ電話機とを接続させるテレビ通話システムに用いるＣＴＩサーバであって、上記ＣＴＩサーバは、上記テレビ通話可能表示が上記第１のテレビ電話機に表示された状態で、上記第１のテレビ電話機からテレビ通話としての着信があると、該第１のテレビ電話機の電話番号を取得するとともに、上記第１のテレビ電話機から上記Ｗｅｂサーバを介して送信されたテレビ通話接続要求信号たる第２のデータと上記取得した第１のテレビ電話機の電話番号を関連付けて第１の電話番号特定データとして取得し、一方、上記登録手段を検索して上記第１のデータをキーとして所望の上記第２の電話番号特定データを取得し、上記第１の電話番号特定データと上記第２の電話番号特定データとにより上記第１のテレビ電話機と上記第２のテレビ電話機とを接続させることを特徴とする。
【００２４】
本発明の請求項１０記載の発明は、第１のテレビ電話機にＷｅｂページを表示させるとともに、第２のテレビ電話機から送信されたテレビ通話可能信号を受信すると、上記第２のテレビ電話機が上記第１のテレビ電話機とテレビ通話可能状態にあることを示すテレビ通話可能表示を上記Ｗｅｂページ上に表示させるＷｅｂサーバと、上記第２のテレビ電話機のテレビ通話可能状態と該第２のテレビ電話機の電話番号を関連付けて第２の電話番号特定データとして格納する登録手段と、の間でデータの送受信を行うＣＴＩサーバに、上記第１のテレビ電話機と上記第２のテレビ電話機とのテレビ通話接続を実現させるためのテレビ通話プログラムであって、上記テレビ通話プログラムは、上記ＣＴＩサーバに、上記第１のテレビ電話機の電話番号を取得させる機能と、上記第１のテレビ電話機から上記Ｗｅｂサーバを介して送信されたテレビ通話接続要求信号たる第２のデータを取得させる機能と、上記取得した第１のテレビ電話機の電話番号を関連付けて第１の電話番号特定データとして取得させる機能と、上記登録手段を検索させる機能と、上記第１のデータをキーとして所望の上記第２の電話番号特定データを取得させる機能と、上記第１の電話番号特定データと上記第２の電話番号特定データとにより上記第１のテレビ電話機と上記第２のテレビ電話機とを接続させる機能とを実現させることを特徴とする。
【発明の効果】
【００２５】
以上の説明から明らかなように、本発明によれば、Ｗｅｂサーバを用いてテレビ通話発信者側のテレビ電話機にテレビ通話可能表示を表示させるようにしたので、テレビ通話発信者側は、テレビ通話受信者側にテレビ通話発信する前に、テレビ通話受信者側が現在テレビ通話可能状態にあるか否かを把握することができる。従って、本発明を利用すれば、テレビ通話発信者側からテレビ通話発信をすれば、テレビ通話受信者側に必ずつながることとなるので、テレビ電話機の利用促進につながる。
【００２６】
また、テレビ通話受信者側のテレビ電話機は、複数の者が所有しており、そのそれぞれのテレビ電話機の電話番号に、テレビ通話可能表示を対応させて表示させるようにしておけば、テレビ通話発信者側から、テレビ通話発信する前に、テレビ通話したいテレビ通話受信者を選ぶことができる。
【００２７】
また、テレビ通話発信者側のテレビ電話機とテレビ受信者側のテレビ電話機とを接続する際に、テレビ通信発信者側のテレビ電話機から送信されたテレビ通話接続要求信号とテレビ通話受信者側のテレビ電話機から送信されたテレビ通話可能信号とによりテレビ通話接続を接続するＣＴＩサーバを採用するという構成とすれば、テレビ通話発信者側もテレビ通話受信者側もお互いに相手方に電話番号を知られることなくテレビ通話接続することが可能となる。
【００２８】
更に、上記テレビ通話接続の接続条件に加え、テレビ電話受信者側の電話番号を特定するための付加条件を満たした場合に、テレビ通話接続するという構成であれば、テレビ通話発信者側とテレビ通話接続させるテレビ通話受信者をＴＰＯに応じて自動選択可能とさせることが可能となる。
【００２９】
また、テレビ通話受信者側において、現在のテレビ通話可能状態を選択可能としておけば、テレビ通話発信者側においてテレビ通話受信者側がテレビ通話可能な状態にあるか否かをリアルタイムに把握することができる。
【００３０】
また、テレビ通話発信者側およびテレビ通話受信者側の双方において、テレビ通話発信する前に、相手方のテレビ通話可能状態を確認できるようにしておけば、双方とも相手方のテレビ通話可能状態を確認することができることとなる。
【発明を実施するための最良の形態】
【００３１】
＜第１の実施形態＞
以下に図面を参照して本発明のテレビ通話システムについて説明する。
【００３２】
図１に、本発明に係るテレビ通話システム１００の一実施形態の概要を示す。なお、本実施形態においては、第２のテレビ電話機を店の店員の携帯テレビ電話機とし、第１のテレビ電話機をこの店の客の携帯テレビ電話機として説明する。
【００３３】
また、第１のＷｅｂページを客用Ｗｅｂページとし、第２のＷｅｂページを店員登録用Ｗｅｂページとして説明する。
【００３４】
本発明に係るテレビ通話システム１００は、Ｗｅｂサーバ１０、ＤＢサーバ２０、ＣＴＩサーバ３０を備えている。
【００３５】
本実施形態においては、これらを用いて最終的に客の携帯テレビ電話機４０ａと店員の携帯テレビ電話機４０ｂを接続するものであり、客が店にテレビ通話発信をする前に、この店の店員が現在テレビ通話可能状態にあるか否かを把握可能とすることにより、客は店にテレビ通話発信をすれば必ずつながり、携帯テレビ電話機をより有効的に活用することを可能とするものである。
【００３６】
なお、本実施形態においては、客のテレビ電話機も店員のテレビ電話機も、共に携帯テレビ電話機としているが、これに限定されるものでなく、例えば、固定式のテレビ電話機やテレビ通話機能を搭載したパーソナルコンピュータ等でも適用可能である。
【００３７】
次に、本発明に係るテレビ通話システム１００のうち、Ｗｅｂサーバ１０、ＤＢサーバ２０、ＣＴＩサーバ３０について図２を用いて説明する。この図２は、本発明に係るテレビ通話システム１００を構成するＷｅｂサーバ１０、ＤＢサーバ２０およびＣＴＩサーバ３０の概略構成を示す機能ブロック図であり、Ｗｅｂサーバ１０、ＤＢサーバ２０およびＣＴＩサーバ３０はそれぞれＬＡＮ（Ｌｏｃａｌ  Ａｒｅａ  Ｎｅｔｗｏｒｋ）ケーブル等で接続されており、ぞれぞれの間でデータの送受信ができるように構成されている。
【００３８】
Ｗｅｂサーバ１０は、インターネット上の情報システムであるＷＷＷ（Ｗｏｒｌｄ  Ｗｉｄｅ  Ｗｅｂ）を構成するサーバのことであり、インターネット１を介して客の携帯テレビ電話機４０ａおよび店員の携帯テレビ電話機４０ｂ（図１参照）との間でデータの送受信を行う送受信手段１１と、ＤＢサーバ２０およびＣＴＩサーバ３０との間でＬＡＮケーブルを介してデータの送受信を行うＬＡＮ送受信手段１２とを備えている。
【００３９】
送受信手段１１は、ＵＲＬ入力や二次元バーコード等を用いて客の携帯テレビ電話機４０ａおよび店員の携帯テレビ電話機４０ｂからアクセスがあると、ＬＡＮ送受信手段１２により後述するＤＢサーバ２０内のコンテンツ収容部２１および店員情報収容部２２を検索し、該当するＷｅｂページを各携帯テレビ電話機４０ａ、４０ｂに表示させる。
【００４０】
例えば、図７（ａ）に示す店員登録用Ｗｅｂページ７００を店員の携帯テレビ電話機４０ｂに表示させ、他方、図７（ｂ）に示す客用Ｗｅｂページ８００を客の携帯テレビ電話機４０ａに表示させる。客側、店員側は、このＷｅｂサーバ１０から送信された客用Ｗｅｂページ８００、店員登録用Ｗｅｂページ７００を携帯テレビ電話機に搭載されたブラウザを用いて表示させる。例えば、ＮＴＴドコモ（登録商標）のｉモード（登録商標）対応電話機を用いればよい。
【００４１】
ＤＢサーバ２０は、データベースサーバ、すなわちデータを決まった形で蓄積したものであり、コンテンツ収容部２１と、店員情報収容部２２とを備えている。
【００４２】
コンテンツ収容部２１には、例えば、文字あるいは画像等のデータによりＷｅｂページを提供するためのＨＴＭＬ（Ｈｙｐｅｒｔｅｘｔ  Ｍａｒｋｕｐ  Ｌａｎｇｕａｇｅ）ファイルによるコンテンツが格納されている。本実施形態においては、例えば、店員の携帯テレビ電話機４０ｂに表示される店員登録用Ｗｅｂページ７００（図７（ａ）参照）や、客用Ｗｅｂページ８００（図７（ｂ）参照）のデータが店ごとに格納されている。
【００４３】
また、店員情報収容部２２には、例えば、図４に示すような店員情報テーブル４００に、店員の名前（Ｓ）、電話番号（ＳＴ）および現在店員がテレビ通話可能状態か否かを示すテレビ通話可能状態（ＣＤ）等が店（ＳＰ）ごとに格納されている。
【００４４】
なお、本実施形態においては、データベースサーバを独立構成要素としているが、上記店員の名前Ｓ、電話番号ＳＴ、現在の状態ＣＤ等を格納する登録手段をＷｅｂサーバ１０やＣＴＩサーバ３０に設けてもよい。
【００４５】
ＣＴＩサーバ３０は、Ｃｏｍｐｕｔｅｒ  Ｔｅｌｅｐｈｏｎｙ  Ｉｎｔｅｇｒａｔｉｏｎサーバであり、送受信手段３１、ＬＡＮ送受信手段３２、データ変換手段３３、接続手段３４を備えている。
【００４６】
送受信手段３１は、デジタル通信回線網２を介して客側の携帯テレビ電話機４０ａおよび店側の携帯テレビ電話機４０ｂとの間でデータの送受信を行う。ＬＡＮ送受信手段３２は、Ｗｅｂサーバ１０およびＤＢサーバ２０との間でＬＡＮケーブルを介してデータの送受信を行う。
【００４７】
データ変換手段３３は、客側の携帯テレビ電話機４０ａからデジタル通信回線網２を介して送受信手段３１が受信した音声、画像、制御データ等のうち、音声および画像データをデジタル電話回線データからＩＰネットワークデータに変換する。その後このＩＰネットワークデータは、下記接続手段３４によりテレビ通話受信者たる店員の携帯テレビ電話機４０ｂが決まると、電話回線データに変換されて店員に送信される。
【００４８】
接続手段３４は、後述するように、客側からテレビ通話としての着信があると、客側からＷｅｂサーバ１０を介して受信するテレビ通話接続要求信号（Ｒ）と、店側からＷｅｂサーバ１０を介して受信するテレビ通話可能信号（ＯＫ）とにより、客側の携帯テレビ電話機４０ａと店員側の携帯テレビ電話機４０ｂを接続する。
【００４９】
なお、この客側の携帯テレビ電話機４０ａと店員側の携帯テレビ電話機４０ｂとの接続は、ＣＴＩサーバ３０自身が行うほか、このＣＴＩサーバ３０にテレビ通話接続させるようにプログラミングされたプログラムにおいて行ってもよい。
【００５０】
このＣＴＩサーバ３０の概略の一例を図３に示す。この図３においては、ＤＢサーバ２０を使用せず、Ｗｅｂサーバ１０の中に図４に示す店員情報テーブル４００が格納されている形態が示されている。このＣＴＩサーバ３０においては、２系統の複数のデジタル通信回線をＷｅｂサーバ１０からの指示によって相互に切り換えて接続する機能を持っている。図３に示す回線切替／接続スイッチの機能は、例えば、後述するテレビ通話接続ロジックによって果される。また、ここで言う制御データは、客側の携帯テレビ電話機４０ａの電話番号（ＣＴ）、店員側の携帯テレビ電話機４０ｂの電話番号（ＳＴ）等であり、客側の携帯テレビ電話機４０ａの電話番号（ＣＴ）と店員側の携帯テレビ電話機４０ｂの電話番号（ＳＴ）を相互に認識させるためのデータである。そのロジックに関しては後述する。
【００５１】
次に、本実施形態におけるテレビ通話システム１００の動作説明をする。
【００５２】
本実施形態のテレビ通話システム１００においては、まず、店側が店員の名前（Ｓ）、店員の携帯テレビ電話機の電話番号（ＳＴ）等の店員情報を予め登録し、ＤＢサーバ２０に格納しておく。この登録方法としては、例えば、店員の名前（Ｓ）、店員の携帯テレビ電話機の電話番号（ＳＴ）等が入力可能な店員情報登録用のＷｅｂページをＷｅｂサーバ１０が、インターネット１を介して店側に提供する。店側は、パーソナルコンピュータにインストールされているＩｎｔｅｒｎｅｔ  Ｅｘｐｌｏｒｅｒ等のブラウザを用いてパーソナルコンピュータのディスプレイにこの店員情報登録用のＷｅｂページを表示させ、店員の名前（Ｓ）、店員の携帯テレビ電話機の電話番号（ＳＴ）等必要な情報を指定された箇所に入力する。更に、このＷｅｂページの“入力”と表示されたアイコンにカーソルを合わせ、マウスを左クリックする。すると、この店員情報登録用のＷｅｂページに店側が入力したデータがインターネット１、Ｗｅｂサーバ１０を介してＤＢサーバ２０に送信され、店員情報収容部２２に格納される。
【００５３】
なお、この店員情報収容部２２への店員情報の登録作業は、オペレータによる手作業入力でも良い。
【００５４】
次に、店員が店員登録用Ｗｅｂページ７００（図７（ａ）参照）を用いて客用Ｗｅｂページ８００（図７（ｂ）参照）にテレビ通話可能表示８０１が表示されるまでの動作について図５を用いて説明する。
【００５５】
本実施形態においては、店Ａが提供する客用Ｗｅｂページ８００にはまだテレビ通話可能表示８０１はされておらず、ＤＢサーバ２０の店員情報テーブル４００にも店Ａの店員ａ１、ａ２、ａ３、・・・のいずれもテレビ通話可能状態（ＣＤ）に“ＯＫ”が登録されていない状態において、上記Ｗｅｂページ８００にテレビ通話可能表示８０１が表示されるまでを想定している。
【００５６】
まず、店員は店員登録用Ｗｅｂページ７００（図７（ａ）参照）にアクセスし（ステップ３００）、自己の携帯テレビ電話機４０ｂにこの店員登録用Ｗｅｂページ７００を表示させる（ステップ３０１）。この表示方法としては、例えば、店員が上記店員登録用Ｗｅｂページ７００のＵＲＬを直接入力することによりこの店員登録用Ｗｅｂページ７００を表示させても良いし、カテゴリー検索操作を行うことにより店員登録用Ｗｅｂページ７００が表示されるようにしても良いし、二次元バーコードを読込むことにより店員登録用Ｗｅｂページ７００が表示されるようにしても良く、種々の方法が考えられる。
【００５７】
この店員登録用Ｗｅｂページ７００は、図７（ａ）のような“ＯＫ”、“ＮＧ”からなる店員通話状態入力部７０１ａ、７０１ｂが備えられており、店員は“ＯＫ”、“ＮＧ”を選択可能になっている。この選択は、例えば、携帯テレビ電話機４０ｂの矢印ボタンおよび決定ボタンを用いて選択するとしても良いし、携帯テレビ電話機４０ｂの文字ボタン等を“ＯＫ”、“ＮＧ”に対応させておき、この“ＯＫ”、“ＮＧ”に対応しているボタンを押すことにより選択されるようにしてもよく、種々の方法が考えられる。
【００５８】
店員が上記いずれかの操作をし、“ＯＫ”を選択すると（ステップ３０２）、この“ＯＫ”すなわち、この店員が現在テレビ通話可能な状態にあることを意味するテレビ通話可能信号（ＯＫ）と、この店員の携帯テレビ電話機４０ｂの電話番号がＷｅｂサーバ１０にインターネット１を介して送信される（ステップ３０３）。
【００５９】
このテレビ通話可能信号（ＯＫ）と店員の携帯テレビ電話機４０ｂの電話番号をＷｅｂサーバ１０が受信し（ステップ３０４）、Ｗｅｂサーバ１０は、この受信した店員の電話番号と一致する電話番号（ＳＴ）があるかをＤＢサーバ２０の店員情報テーブル４００から検索する（ステップ３０５）。
【００６０】
この検索の結果、店員の電話番号がこの店員情報テーブル４００に有る場合には（ステップ３０６のＹ）、Ｗｅｂサーバ１０は、この店員が現在テレビ通話可能状態にあることを示すテレビ通話可能表示８０１“ＯＫ”を客用Ｗｅｂページ８００に表示し（ステップ３０７）、このテレビ通話可能信号（ＯＫ）をＤＢサーバ２０の店員情報テーブル４００の該当箇所に格納させるとともに、このテレビ通話可能信号（ＯＫ）を店員の携帯テレビ電話機４０ｂの電話番号（ＳＴ）と関連付けて、店員電話番号特定データ（Ｄ１）として上記店員情報テーブル４００に格納させる（ステップ３０８）。
【００６１】
一方、ＤＢサーバ２０の店員情報テーブル４００を検索した結果、店員の携帯テレビ電話機４０ｂの電話番号が無かった場合には、Ｗｅｂサーバ１０は処理を終了する（ステップ３０６のＮ）。
【００６２】
なお、本実施形態においては、店員が“ＯＫ”を選択すると店員の電話番号とテレビ通話可能信号（ＯＫ）がＷｅｂサーバ１０に送信されるとしたが（ステップ３０２、３０３）、店員の電話番号が直接送信されるような形態に限らず、間接的に店員の電話番号が送信されるような形態でもよい。
【００６３】
例えば、店員の携帯テレビ電話機４０ｂの固有識別情報（固有のＩＤ）が送信されるようにしても良く、この場合、この固有のＩＤをＤＢサーバ２０の店員情報テーブル４００に予め格納しておき、このＩＤから店員の携帯テレビ電話機４０ｂの電話番号を検索し、検出された電話番号（ＳＴ）とテレビ通話可能信号（ＯＫ）を関連付けて店員情報テーブル４００に格納させるようにしておけばよい。
【００６４】
また、本実施形態においては、店員においてＯＫが選択された場合についてのみ説明したが、店員において“ＮＧ”が選択された場合においては、この“ＮＧ”を意味するＮＧ信号（店員情報テーブル４００におけるテレビ通話可能状態（ＣＤ）が“ＮＧ”）がインターネット１、Ｗｅｂサーバ１０を介してＤＢサーバ２０の店員情報テーブル４００に格納される。この格納方法としては、例えば、初期値を“ＮＧ”としておき、テレビ通話可能信号（ＯＫ）が入ってきたら“ＯＫ”と書き換えるように構成しても良いし、反対に初期値を“ＯＫ”としておき、ＮＧ信号が入ってきたら“ＯＫ”と書き換えるように構成しておいても良い。
【００６５】
更に、客用Ｗｅｂページ８００へのテレビ通話可能表示８０１である“ＯＫ”の表示については、例えば、店Ａの店員ａ１、ａ２、ａ３、・・・のうち１人でも“ＯＫ”がＤＢサーバ２０の店員情報テーブル４００に登録されていれば、店Ａの客用Ｗｅｂページ８００に“ＯＫ”表示が表示されるようにしておけば、客側は、店側とテレビ通話が可能であることをリアルタイムに把握でき、一方、店Ａの全ての店員がＮＧ信号を送信したことにより、店員ａ１、ａ２、ａ３、・・・の全てが“ＮＧ”登録となってしまう場合に、店Ａの客用Ｗｅｂページ８００の“ＯＫ”表示が消去されるように構成しておけば、客側は、店側とテレビ通話が不可能であることをリアルタイムに把握ができる。
【００６６】
次に、客用Ｗｅｂページ８００に表示されたテレビ通話可能表示８０１を利用して、客の携帯テレビ電話機４０ａと店員の携帯テレビ電話機４０ｂが接続されるまでの動作について図６を用いて説明する。
【００６７】
客の携帯テレビ電話機４０ａにより店Ａの客用Ｗｅｂページ８００にアクセスし（ステップ４００）、自己の携帯テレビ電話機４０ａにこの客用Ｗｅｂページ８００を表示させる（ステップ４０１）。この表示方法としては、店員が店員登録用Ｗｅｂページ７００を表示させる上記方法と同様である。
【００６８】
本実施形態においては、この客用Ｗｅｂページ８００は、図７（ｂ）のように構成されている。例えば、上記したように店Ａの店員ａ１、ａ２、ａ３、・・・のうちいずれか１人でもＤＢサーバ２０のテーブルに“ＯＫ”が登録されていれば、この客用Ｗｅｂページ８００に“ＯＫ”が表示されるように構成し、一方、店Ａの店員ａ１、ａ２、ａ３、・・・のうち全く“ＯＫ”が登録されていない状態においては、この客用Ｗｅｂページ８００には“ＯＫ”は表示されないようになっている。
【００６９】
従って、この“ＯＫ”表示が客用Ｗｅｂページ８００に表示されているということは、店Ａの店員ａ１、ａ２、ａ３、・・・のうち１人でも現在テレビ通話可能な状態にあるということを意味するので、この客用Ｗｅｂページ８００に“ＯＫ”表示がされている状態において、客側が店側にテレビ通話発信をした場合、客側の携帯テレビ電話機４０ａと店側の携帯テレビ電話機４０ｂとが必ず通話接続され、テレビ通話が可能状態となる。
【００７０】
客側の携帯テレビ電話機４０ａに表示された客用Ｗｅｂページ８００上にこの“ＯＫ”表示がされた状態において、図７（ｂ）に示すテレビ通話接続要求入力部８０２である“ＴＶでんわ”表示を選択すると（ステップ４０２）、客の携帯テレビ電話機４０ａからＷｅｂサーバ１０にテレビ通話接続要求信号（Ｒ）が送信される（ステップ４０３）とともに、ＣＴＩサーバ３０に対しテレビ通話発信をする（ステップ４０６）。
【００７１】
このテレビ通話接続要求信号（Ｒ）の送信方法としては、例えば、矢印ボタンおよび選択ボタンを操作することにより、Ｗｅｂサーバ１０にテレビ通話接続要求信号（Ｒ）が送信されるようにしても良いし、ダイアルボタンやその他のボタンのいずれかをこの“ＴＶでんわ”表示に対応させ、この対応させたボタンを押すことにより、テレビ通話接続要求信号（Ｒ）が送信されるようにしてもよい。
【００７２】
このテレビ通話接続要求信号（Ｒ）が客の携帯テレビ電話機４０ａからＷｅｂサーバ１０に送信されると、Ｗｅｂサーバ１０は、このテレビ通話接続要求信号（Ｒ）を受信し（ステップ４０４）、この受信したテレビ通話接続要求信号（Ｒ）をＣＴＩサーバ３０に送信する（ステップ４０５）。
【００７３】
一方、ＣＴＩサーバ３０は、客の携帯テレビ電話機４０ａからテレビ通話としての着信があると（ステップ４０７）、この着信したテレビ通話発信から客の携帯テレビ電話機４０ａの電話番号（ＣＴ）を取得する（ステップ４０８）。
【００７４】
更に、ＣＴＩサーバ３０は、Ｗｅｂサーバ１０から送信されてきたテレビ通話接続要求信号（Ｒ）を受信するとともに、このテレビ通話接続要求信号（Ｒ）を上記取得した客の携帯テレビ電話機４０ａの電話番号（ＣＴ）と関連付けて客側電話番号特定データ（Ｄ２）として一時的に保存する（ステップ４０９）。この保存は、図示しないＲＡＭ（Ｒｅａｄ  Ａｃｃｅｓｓ  Ｍｅｍｏｒｙ）等において行う。
【００７５】
次に、ＣＴＩサーバ３０は、ＤＢサーバ２０の店員情報テーブル（図４参照）を検索し（ステップ４１０）、テレビ通話可能状態（ＣＤ）にテレビ通話可能信号（ＯＫ）が格納されている者が、店Ａの店員ａ１、ａ２、ａ３、・・・の中にいるかどうかを判断する（ステップ４１１）。
【００７６】
その結果、ＣＴＩサーバ３０は、テレビ通話可能信号（ＯＫ）が格納されている店員がいると判断すると（ステップ４１１のＹ）、このテレビ通話可能信号（ＯＫ）と上記テレビ通話接続要求信号（Ｒ）とを関連付ける（ステップ４１２）。
【００７７】
すると、テレビ通話可能信号（ＯＫ）には、既に店Ａの店員の携帯テレビ電話機４０ｂの電話番号（ＳＴ）が関連づけられており、一方、テレビ通話接続要求信号（Ｒ）には、既に客の携帯テレビ電話機４０ａの電話番号（ＣＴ）が関連付けられているので、ＣＴＩサーバ３０は、「ＣＴ＝Ｒ、ＯＫ＝ＳＴ、Ｒ＝ＯＫであれば、ＣＴ＝ＳＴ」とのテレビ通話接続ロジックにより、客の携帯テレビ電話機４０ａと店員の携帯テレビ電話機４０ｂとを接続する（ステップ４１３）。
【００７８】
他方、ＣＴＩサーバ３０は、ＤＢサーバ２０の店員情報テーブル４００を検索した結果、テレビ通話可能信号（ＯＫ）が格納されていないと判断すると（ステップ４１１のＮ）、処理を終了する。
【００７９】
このように、本実施形態におけるＣＴＩサーバ３０は、上記テレビ通話接続ロジックにより、客の携帯テレビ電話機４０ａと店員の携帯テレビ電話機４０ｂを接続するので、
客側も店員側も双方とも相手の電話番号を知らなくても、テレビ通話接続が可能である。
【００８０】
なお、上記実施形態においては、客側の携帯テレビ電話機４０ａと店員側の携帯テレビ電話機４０ｂとの接続は、ＣＴＩサーバ３０自身が行うとしたが、このＣＴＩサーバ３０に上記接続処理をさせるようにプログラミングされたプログラムを用いて行ってもよい。
【００８１】
また、ＣＴＩサーバ３０を介して客の携帯テレビ電話機４０ａと店員の携帯テレビ電話機４０ｂを接続するという構成を採用しているので、客側の携帯テレビ電話機４０ａにも店員側の携帯テレビ電話機４０ｂにも相手の電話番号は表示されることなく、テレビ通話接続が可能である。
【００８２】
上記実施形態においては、店員情報テーブル４００にテレビ通話可能信号（ＯＫ）が格納されている店員が１人の場合を想定しているが、このテレビ通話可能信号（ＯＫ）が格納されている店員が複数ある場合には、例えば、ＤＢサーバ２０の店員情報テーブル４００に店員の位置（Ｐ）、階級、年齢等のデータを、店員の携帯テレビ電話機を特定するための付加データとして予め登録しておき、これらの付加データに優先度をつける。そして、上記テレビ通話可能信号（ＯＫ）が格納されており、かつ、これら付加された条件を全て満たす店員を選択するような所謂ＡＮＤ演算可能なプログラム等の条件選択手段をＣＴＩサーバ３０に備えておけばよい。
【００８３】
また、上記実施形態においては、テレビ通話可能表示８０１として、“ＯＫ”表示が１つ表示される構成としているが、この“ＯＫ”表示は、ＤＢサーバ２０の店員情報テーブル４００に“ＯＫ”が登録されている店員ごとにそれぞれ表示されるようにしてもよく、この場合には、上記“ＴＶでんわ”マークもこの“ＯＫ”表示に対応するように設けておけば、客側において、テレビ通話接続する店員を選択することが可能となる。
【００８４】
また、本実施形態においては、客側からテレビ通話接続要求信号（Ｒ）を発信させる手段として、客用Ｗｅｂページ８００に“ＴＶでんわ”マークを表示させるとしたが、この表示はどのようなものでもよく、要するに、客側の携帯テレビ電話機４０ａからテレビ通話接続要求信号（Ｒ）をＷｅｂサーバ１０に送信させるきっかけとなるような表示であれば何でもよい。
【００８５】
なお、本実施形態においては、第２のテレビ電話機を店の店員の携帯テレビ電話機とし、第１のテレビ電話機をこの店の客の携帯テレビ電話機としているが、本発明はこれに限定されるものではない。
【００８６】
＜第２の実施形態＞
例えば、第２のテレビ電話機を介護センター等の介護士（介護をする者）の携帯テレビ電話機、第１のテレビ電話機をその介護人（介護を受ける者）の携帯テレビ電話機として、上記第１の実施形態の本発明を適用すれば、介護人にとっては、介護センターにテレビ通話発信をすれば必ずつながるとの安心を得られる。更に、介護士とテレビ通話接続された後も、介護士、介護人は双方の顔を見て会話ができるので、介護士は介護人に対し行き届いた介護の提供ができ、他方、介護人も行き届いた介護を受けられることとなる。
【００８７】
特に、介護人にとっては、自分の健康状態を良く知っている介護士に介護を受けたいと欲するものであるので、上記のように介護人側において介護士を選択可能としておけば、介護人にとってはより行き届いた介護を受けることが出来ることとなる。
【００８８】
＜第３の実施形態＞
また、本発明は、結婚紹介サービスにも適用可能である。
【００８９】
例えば、第２のテレビ電話機を結婚紹介センターのカウンセラーの携帯テレビ電話機、第１のテレビ電話機をこの結婚紹介センターの利用者の携帯テレビ電話機として、上記第１の実施形態の本発明を適用すれば、利用者が結婚紹介センターにテレビ通話発信すれば、結婚紹介センターのカウンセラーと必ずテレビ通話接続され、しかも利用者においては、カウンセラーの顔の見えるサービスの提供を受けられる。また、携帯テレビ電話機を利用すれば、利用者が外出先でもこのようなサービスを受けられる上、カウンセラーが外出中でも、このカウンセラーから上記サービスの提供を受けられる。
【００９０】
＜第４の実施形態＞
更に、この結婚紹介サービスにおいて利用者が結婚相手を紹介してもらった後、この利用者と結婚相手とがテレビ通話するに至るまでにおいても、本発明は適用可能である。
【００９１】
例えば、この結婚紹介センターの利用者として、男性Ｍさん、女性Ｆさん、がこの結婚紹介センターに登録されており、結婚紹介センターから男性Ｍさんが女性Ｆさんを紹介され、他方、女性Ｆさんは、結婚紹介センターから自分が男性Ｍさんに紹介された旨の連絡があった場合を想定する。
【００９２】
まず、男性Ｍさん、女性Ｆさんが結婚紹介センターに登録すると、それぞれの氏名、携帯テレビ電話機の電話番号、その他、年齢、住所、年収、職業等が予めＤＢサーバ等に登録される。この登録方法としては、例えば、上記第１の実施形態で説明したような方法を用い、図４に相当する利用者情報テーブルに格納される。
【００９３】
上記登録後、男性Ｍさんは、上記第３の実施形態に示した方法で、カウンセラーから女性Ｆさんを紹介してもらう。と同時に女性Ｆさんも結婚紹介センターから男性Ｍさんに自分が紹介された旨の連絡をもらう。
【００９４】
この男性Ｍさんへの紹介および女性Ｆさんへの連絡の方法としては、カウンセラーから相手（男性Ｍさんに対しては女性Ｆさん、女性Ｆさんにとっては男性Ｍさん）の携帯テレビ電話機の電話番号を教えてもらうという方法もあるが、このような方法では、お互いが相手方に自分の携帯テレビ電話機の電話番号を知られてしまい、プライバシー保護の観点からすると好ましくない。
【００９５】
そこで、例えば、男性Ｍさんはカウンセラーから男性Ｍさん専用のＷｅｂページのＵＲＬを教えてもらう。この方法としては、テレビ通話により画面、音声で直接伝える方法、メール送信する方法、ＦＡＸ、郵便による書面の配達等種々の方法がある。
【００９６】
また、この男性Ｍさん専用のＷｅｂページとしては、女性Ｆさんのテレビ通話可能状態（テレビ通話可能表示）が表示された相手確認Ｗｅｂページ（図７（ｂ）に相当）と、男性Ｍさんのテレビ通話可能状態を登録する自分入力Ｗｅｂページ（図７（ａ）に相当）を用意する。
【００９７】
同様に、男性Ｍさんを紹介された女性Ｆさんにも、相手確認Ｗｅｂページおよび自分入力ページが結婚紹介センターより提供される。
【００９８】
また、この男性Ｍさん、女性Ｆさんにそれぞれ提供された相手確認Ｗｅｂページは、当事者以外は開けないようになっている。例えば、男性Ｍさんに提供された相手確認Ｗｅｂページは男性Ｍさん以外には開けないようになっており、女性Ｆさんのプライバシーが保護される。
【００９９】
このような方法としては、例えば、相手確認ＷｅｂサイトのＵＲＬを入力しアクセスすると、パスワード入力要求がありパスワードを入力しないと開けないようになっていたり、アクセスしてきた携帯テレビ電話機の電話番号をＷｅｂサーバが取得し、当事者かどうかを判断するようにしたり等種々の方法が考えられる。なお、このパスワードの知らせ方は、上記ＵＲＬを知らせる際に一緒に知らせる等種々考えられる。
【０１００】
このような状況下で、男性Ｍさんは、上記第１の実施形態のようにして携帯テレビ電話機から相手確認Ｗｅｂページを使用してテレビ通話発信を行うと、必ず女性Ｆさんの携帯テレビ電話機とテレビ通話接続され、テレビ通話が可能となる。同様に、女性Ｆさんも、上記方法を実行すれば、男性Ｍさんとテレビ通話接続され、テレビ通話が可能となる。
【０１０１】
このように、第４の実施形態においては、結婚紹介センターと利用者間におけるテレビ通話ではなく、利用者と利用者との間におけるテレビ通話における本発明の実施形態である。
【０１０２】
従って、双方の利用者において、自分のテレビ通話可能状態の入力と相手方のテレビ通話可能状態の確認が可能であり、しかも、相手方の電話番号を知らなくても、また、相手方に電話番号を知られることなくテレビ通話が可能となる。
【図面の簡単な説明】
【０１０３】
【図１】本発明に係るテレビ通話システムの一実施形態であって、このテレビ通話システムの概略図である。
【図２】テレビ通話システムの概略構成を示す機能ブロック図である。
【図３】ＣＴＩサーバの機能ブロック図である。
【図４】ＤＢサーバに登録された店員情報テーブル
【図５】テレビ通話可能表示がＷｅｂページに表示されるまでのプロセスを示すフローチャートである。
【図６】テレビ通話可能表示を用いて客側の携帯テレビ電話機と店員のテレビ電話機とが接続されるまでのプロセスを示すフローチャートである。
【図７】（ａ）店員登録用Ｗｅｂページの表示例である。（ｂ）客用Ｗｅｂページの表示例である。
【符号の説明】
【０１０４】
１        インターネット  
２        デジタル通信回線網
１０      Ｗｅｂサーバ
１１      送受信手段
１２      ＬＡＮ送受信手段
２０      ＤＢサーバ
２１      コンテンツ収容部
２２      店員情報収容部
３０      ＣＴＩサーバ
３１      送受信手段
３２      ＬＡＮ送受信手段
３３      データ変換手段
３４      接続手段
１００    テレビ通話システム
７００    店員登録用Ｗｅｂページ
７０１ａ  店員通話状態入力部
７０１ｂ  店員通話状態入力部
８００    客用Ｗｅｂページ
８０１    テレビ通話可能表示
８０２    テレビ通話接続要求入力部
【図１】
2006229490.tif 000003
【図２】
2006229490.tif 000004
【図３】
2006229490.tif 000005
【図４】
2006229490.tif 000006
【図５】
2006229490.tif 000007
【図６】
2006229490.tif 000008
【図７】
2006229490.tif 000009